(57)【特許請求の範囲】
【請求項１】
前面に形成された開口である取出口が第１開閉体により開閉されるとともに後面に形成された開口である補充口が第２開閉体により開閉され、かつ内部に収納室が画成されたケース本体と、
前記収納室に上下方向に沿って複数段設けられ、かつ収納対象となる商品を載置する商品載置棚と、
断熱性を有し、かつ前記収納室を第１収納域と第２収納域とに仕切ることで該収納室を上下に区画する仕切部材と、
前記第１収納域の空気を該第１収納域の内部と外部との間で循環させる第１空気循環手段と、
前記第２収納域の空気を該第２収納域の内部と外部との間で循環させる第２空気循環手段と、
前記第１空気循環手段及び前記第２空気循環手段の少なくとも一方に循環させられる空気を所定の温度に調整する温度調整手段と
を備え、前記商品載置棚に載置された商品を所望の温度状態に保持するショーケースにおいて、
前記仕切部材は、任意の商品載置棚の下部に配設され、かつ前端部分が該商品載置棚の前端部分の下方域に位置することで前記取出口を閉成する前記第１開閉体との間に間隙を形成しており、
前記第１空気循環手段は、前記補充口の近傍においては上方に向けて空気を通過させ、かつ前記取出口の近傍においては下方に向けて空気を通過させる態様で該空気を循環させ、
前記第２空気循環手段は、前記補充口の近傍においては下方に向けて空気を通過させ、かつ前記取出口の近傍においては上方に向けて空気を通過させる態様で該空気を循環させることを特徴とするショーケース。
【請求項２】
前記温度調整手段は、
前記第１空気循環手段に循環させられる空気を冷却する冷却手段と、
前記第２空気循環手段に循環させられる空気を加熱する加熱手段と
を備えたことを特徴とする請求項１に記載のショーケース。
【請求項３】
前記第１開閉体は、それぞれが前記ケース本体に左右方向に沿って移動可能に配設され、かつ左右方向に沿って移動することで前記取出口を開閉する複数の前面扉を備え、
前記第２開閉体は、それぞれが前記ケース本体に左右方向に沿って移動可能に配設され、かつ左右方向に沿って移動することで前記補充口を開閉する複数の後面扉を備えたことを特徴とする請求項１又は請求項２に記載のショーケース。
【発明の詳細な説明】
【技術分野】
【０００１】
本発明は、ショーケースに関し、より詳細には、例えばスーパーマーケットやコンビニエンスストア等の店舗に設置され、かつ収納対象となる商品を所望の温度状態に保持するショーケースに関するものである。
【背景技術】
【０００２】
従来、例えばスーパーマーケットやコンビニエンスストア等の店舗に設置され、収納対象となる商品を所望の温度状態に保持するショーケースとして、ケース本体と、空気循環手段と、蒸発器と、ホットボックスとを備えたものが知られている。
【０００３】
ケース本体は、前面及び後面に形成された開口が前面扉及び後面扉により開閉される直方状のものであり、内部に収納室が画成されている。この収納室には、複数の商品載置棚が上下方向に沿って複数段設けられており、それぞれの商品載置棚に商品が載置されている。
【０００４】
空気循環手段は、収納室の内部と、ケース本体の内部であって収納室の外部との間において収納室の内部空気を循環させるものである。蒸発器は、ケース本体の内部であって収納室の外部となる個所に配設されており、空気循環手段により循環させられる空気を冷却するものである。ホットボックスは、収納室の一部を占有する態様で配設された断熱筐体であり、内部にヒータ等が配設されている。
【０００５】
このような構成を有するショーケースでは、収納室の内部の空気が空気循環手段により循環させられて蒸発器により冷却される結果、各商品載置棚に載置された商品が冷却される一方、ホットボックスの内部に収納された商品がヒータ等により加熱され、これにより商品は２つの温度状態にて保持されている（例えば、特許文献１参照）。
【先行技術文献】
【特許文献】
【０００６】
【特許文献１】特開平５−１４１８５７号公報
【発明の概要】
【発明が解決しようとする課題】
【０００７】
ところで、上述した特許文献１に提案されているようなショーケースでは、断熱筐体であるホットボックスが収納室の一部を占有する態様で配設されているので、ホットボックスの容量は可変できるものではなく、結果的に加熱商品の量が制限される。そのため、異なる温度帯で保持する商品の量を自由に調整するような弾力的な運用を行うことができないという問題があった。
【０００８】
本発明は、上記実情に鑑みて、互いに異なる温度帯で保持する商品の量を自由に調整することで弾力的な運用を図ることができるショーケースを提供することを目的とする。
【課題を解決するための手段】
【０００９】
上記目的を達成するために、本発明に係るショーケースは、前面に形成された開口である取出口が第１開閉体により開閉されるとともに後面に形成された開口である補充口が第２開閉体により開閉され、かつ内部に収納室が画成されたケース本体と、前記収納室に上下方向に沿って複数段設けられ、かつ収納対象となる商品を載置する商品載置棚と、断熱性を有し、かつ前記収納室を第１収納域と第２収納域とに仕切ることで該収納室を上下に区画する仕切部材と、前記第１収納域の空気を該第１収納域の内部と外部との間で循環させる第１空気循環手段と、前記第２収納域の空気を該第２収納域の内部と外部との間で循環させる第２空気循環手段と、前記第１空気循環手段及び前記第２空気循環手段の少なくとも一方に循環させられる空気を所定の温度に調整する温度調整手段とを備え、前記商品載置棚に載置された商品を所望の温度状態に保持するショーケースにおいて、前記仕切部材は、任意の商品載置棚の下部に配設され、前記第１空気循環手段は、前記取出口及び前記補充口のいずれか一方の開口近傍においては上方に向けて空気を通過させ、かついずれか他方の開口近傍においては下方に向けて空気を通過させる態様で該空気を循環させ、前記第２空気循環手段は、前記一方の開口近傍においては下方に向けて空気を通過させ、かつ前記他方の開口近傍においては上方に向けて空気を通過させる態様で該空気を循環させることを特徴とする。
【００１０】
また本発明は、上記ショーケースにおいて、前記温度調整手段は、前記第１空気循環手段に循環させられる空気を冷却する冷却手段と、前記第２空気循環手段に循環させられる空気を加熱する加熱手段とを備えたことを特徴とする。
【００１１】
また本発明は、上記ショーケースにおいて、前記第１開閉体は、それぞれが前記ケース本体に左右方向に沿って移動可能に配設され、かつ左右方向に沿って移動することで前記取出口を開閉する複数の前面扉を備え、前記第２開閉体は、それぞれが前記ケース本体に左右方向に沿って移動可能に配設され、かつ左右方向に沿って移動することで前記補充口を開閉する複数の後面扉を備えたことを特徴とする。
【発明の効果】
【００１２】
本発明によれば、仕切部材が任意の商品載置棚の下部に配設されるので、第１収納域と第２収納域との相対的な容積比を変更することができ、各収納域に収納される商品の数を要求に応じて自由に増減させることができる。第１空気循環手段が取出口及び補充口のいずれか一方の開口近傍においては上方に向けて空気を通過させ、かついずれか他方の開口近傍においては下方に向けて空気を通過させる態様で該空気を循環させ、第２空気循環手段は、一方の開口近傍においては下方に向けて空気を通過させ、かつ他方の開口近傍においては上方に向けて空気を通過させる態様で該空気を循環させるので、第１収納域と第２収納域との境界部分において一方から他方へ流れる空気の量を低減させることができ、これにより第１収納域に収納される商品と第２収納域に収納される商品とをそれぞれ良好に温度調整することができる。従って、互いに異なる温度帯で保持する商品の量を自由に調整することで弾力的な運用を図ることができるという効果を奏する。
【図面の簡単な説明】
【００１３】
【図１】図１は、本発明の実施の形態であるショーケースの正中線よりもやや右側における縦断面図である。
【図２】図２は、本発明の実施の形態であるショーケースの正中線よりもやや左側における縦断面図である。
【図３】図３は、上方循環ファンを示す説明図である。
【図４】図４は、図１に示した仕切部材を示す斜視図である。
【図５】図５は、仕切部材の配設状態を拡大して示すショーケースの要部拡大断面平面図である。
【図６】図６は、仕切部材の要部を上方から見た場合を示す説明図である。
【図７】図７は、仕切部材を構成する第２後端側仕切部の動作を示す説明図である。
【図８】図８は、仕切部材を構成する第２後端側仕切部の動作を示す説明図である。
【図９】図９は、図１に示したショーケースにおいて仕切部材を離脱させた場合を示す縦断面図である。
【図１０】図１０は、本発明の実施の形態であるショーケースを構成する仕切部材の変形例を模式的に示す断面図である。
【発明を実施するための形態】
【００１４】
以下に添付図面を参照して、本発明に係るショーケースの好適な実施の形態について詳細に説明する。
【００１５】
図１及び図２は、それぞれ本発明の実施の形態であるショーケースを示すものであり、図１は、正中線よりもやや右側における縦断面図であり、図２は、正中線よりもやや左側における縦断面図である。ここで例示するショーケースは、例えばスーパーマーケットやコンビニエンスストア等の店舗に設置されるもので、ケース本体１０を備えている。
【００１６】
ケース本体１０は、前面に矩形状開口である取出口１０ａが形成されるとともに、後面に矩形状開口である補充口１０ｂが形成された略直方状の断熱筐体である。このケース本体１０には、その内部に収納室１１が画成されているとともに、第１開閉体２０、第２開閉体３０、下方ダクト４０、上方ダクト５０及び仕切部材６０が配設してある。
【００１７】
収納室１１は、上記取出口１０ａ及び上記補充口１０ｂを臨む態様で画成された室であり、複数（図示の例では５つ）の商品載置棚１２が上下方向に沿って複数段並べて配設してある。これら商品載置棚１２は、収納室１１の後方側において左右一対となる態様で立設された棚柱１３に係止された左右一対のブラケット１２ａに、平板状の棚板１２ｂが架け渡されるよう支持されることで構成されている。つまり、商品載置棚１２は、ブラケット１２ａが棚柱１３に係止されることで配設してある。このような商品載置棚１２は、棚板１２ｂの上面に商品を載置するものである。
【００１８】
また収納室１１の底部にはデッキパン１４が配設してある。このデッキパン１４は、上記商品載置棚１２と同様に、商品を載置するためのものである。
【００１９】
第１開閉体２０は、上記取出口１０ａを開閉するためのもので、第１前面扉２１と第２前面扉２２とを有している。第１前面扉２１及び第２前面扉２２は、それぞれ左右方向に沿って移動可能なものであり、第１前面扉２１が前方側に位置し、第２前面扉２２が後方側に位置している。これら第１前面扉２１及び第２前面扉２２は、第１前面扉２１の右端部が取出口１０ａの右側縁部に当接するとともに第２前面扉２２の左端部が取出口１０ａの左側縁部に当接し、かつ第１前面扉２１の左端部と第２前面扉２２の右端部とが互いに召し合わされることにより、取出口１０ａを閉成するものである。そして、このような状態から第１前面扉２１が左方に向けて、若しくは第２前面扉２２が右方に向けて移動することで取出口１０ａを開成するものである。
【００２０】
第２開閉体３０は、上記補充口１０ｂを開閉するためのもので、第１後面扉３１と第２後面扉３２とを有している。第１後面扉３１及び第２後面扉３２は、それぞれ左右方向に沿って移動可能なものであり、第１後面扉３１が前方側に位置し、第２後面扉３２が後方側に位置している。これら第１後面扉３１及び第２後面扉３２は、第１後面扉３１の右端部が補充口１０ｂの右側縁部に当接するとともに第２後面扉３２の左端部が補充口１０ｂの左側縁部に当接し、かつ第１後面扉３１の左端部と第２後面扉３２の右端部とが互いに召し合わされることにより、補充口１０ｂを閉成するものである（図５参照）。そして、このような状態から第１後面扉３１が左方に向けて、若しくは第２後面扉３２が右方に向けて移動することで補充口１０ｂを開成するものである。
【００２１】
下方ダクト４０は、収納室１１の下方側に設けられた通風路である。この下方ダクト４０は、下方吸込口４１及び下方吹出口４２を通じて収納室１１に連通している。
【００２２】
下方吸込口４１は、収納室１１の内部の空気（内部雰囲気）を吸い込むための開口であり、左右方向に沿って延設してある。この下方吸込口４１は、収納室１１の下側前方縁部、すなわちケース本体１０の取出口１０ａ近傍の下部に配設してある。
【００２３】
下方吹出口４２は、収納室１１の内部に空気を吹き出すための開口であり、左右方向に沿って延設してある。この下方吹出口４２は、収納室１１の下側後方縁部、すなわちケース本体１０の補充口１０ｂ近傍の下部に配設してある。より詳細に説明すると、下方吹出口４２は、左右一対の棚柱１３間の直下位置に配設してある。
【００２４】
このような下方ダクト４０には、下方循環ファン４３及び蒸発器４４が配設してある。下方循環ファン４３は、図示せぬ制御手段から駆動指令が与えられることにより駆動するものである。この下方循環ファン４３は、駆動する場合に空気を循環させるものであり、より詳細には、下方吸込口４１を通じて収納室１１の内部空気を吸い込み、下方ダクト４０を通過させた後に、下方吹出口４２を通じて収納室１１の内部に該空気を吹き出させるものである。
【００２５】
蒸発器４４は、下方循環ファン４３の配設部位の後方側に配設してある。蒸発器４４は、図には明示しないが、圧縮機、凝縮器及び膨張機構とともに冷媒を循環させる冷媒循環手段を構成する。ここに圧縮機は、制御手段から与えられる駆動指令により駆動するものである。この圧縮機は、冷媒を圧縮するものであり、凝縮器は、圧縮機で圧縮された冷媒を凝縮させるものである。膨張機構は、凝縮器で凝縮された冷媒を断熱膨張させて低温低圧の状態にさせるものである。
【００２６】
上記蒸発器４４は、下方循環ファン４３が駆動することにより下方ダクト４０を前方から後方に向けて通過する空気と、膨張機構で断熱膨張された冷媒とを熱交換させるもの、より詳細には、冷媒を蒸発させることにより下方ダクト４０を通過する空気を冷却するものである。この蒸発器４４で蒸発した冷媒は、圧縮機に吸引されて再び圧縮されることになる。
【００２７】
上方ダクト５０は、収納室１１の上方側に設けられた通風路である。この上方ダクト５０は、前側開口５１及び後側開口５２を通じて収納室１１に連通している。
【００２８】
前側開口５１は、左右方向に沿って延設してある。この前側開口５１は、収納室１１の上側前方縁部、すなわちケース本体１０の取出口１０ａ近傍の上部に配設してある。
【００２９】
後側開口５２は、左右方向に沿って延設してある。この後側開口５２は、収納室１１の上側後方縁部、すなわちケース本体１０の補充口１０ｂ近傍の下部に配設してあり、より詳細に説明すると、後側開口５２は、左右一対の棚柱１３間の直上位置に配設してある。
【００３０】
このような上方ダクト５０には、上方循環ファン５３及びヒータ５４が配設してある。上方循環ファン５３は、後側開口５２を閉塞する態様で配設してあり、図３に示すように、第１上方循環ファン５３ａと第２上方循環ファン５３ｂとが互いに隣り合うように左右方向に沿って並設して構成してある。
【００３１】
上記第１上方循環ファン５３ａは、それぞれ制御手段から駆動指令が与えられた場合に駆動するものである。そして、駆動する場合には下方から見て例えば反時計回りに回転することで上方ダクト５０の空気を収納室１１に送出するものである。
【００３２】
上記第２上方循環ファン５３ｂは、それぞれ制御手段から駆動指令が与えられた場合に駆動するものである。そして、駆動する場合には下方から見て例えば時計回りに回転することで収納室１１の空気を上方ダクト５０の内部に送出するものである。
【００３３】
つまり、上方循環ファン５３は、第１上方循環ファン５３ａが駆動する場合には、前側開口５１を通じて収納室１１の内部空気を吸い込み、上方ダクト５０を通過させた後に、後側開口５２を通じて収納室１１の内部に該空気を吹き出させるものである一方、第２上方循環ファン５３ｂが駆動する場合には、後側開口５２を通じて収納室１１の内部空気を吸い込み、上方ダクト５０を通過させた後に、前側開口５１を通じて収納室１１の内部に該空気を吹き出させるものである。
【００３４】
ヒータ５４は、制御手段から駆動指令が与えられた場合に駆動するものである。このヒータ５４は、駆動することで通電状態となり、上方循環ファン５３（第１上方循環ファン５３ａ又は第２上方循環ファン５３ｂ）が駆動することにより上方ダクト５０を通過する空気を加熱するものである。
【００３５】
図４は、図１に示した仕切部材６０を示す斜視図であり、図５は、仕切部材６０の配設状態を拡大して示すショーケースの要部拡大断面平面図である。ここで例示する仕切部材６０は、図１に示したように、最上位から３番目の商品載置棚１２の下部に配設されるものであるが、本発明においては、仕切部材６０は任意の商品載置棚１２の下部に配設されるものであり、最上位から３番目の商品載置棚１２の下部に限定されるものではない。
【００３６】
この仕切部材６０は、全体として略平板状を成すものであり、仕切基部６１と、第１後端側仕切部６２と、第２後端側仕切部６３とを備えて構成してある。
【００３７】
仕切基部６１は、例えば断熱性材料から構成されることで断熱性を有している。この仕切基部６１は、左右方向が長手方向となる平板状部材であり、その前端部は、棚板１２ｂの前端部の下方域に位置している。かかる仕切基部６１の左右両端部には、左端面より左方に向けて突出するする係止片６１１と、右端面より右方に向けて突出する係止片６１２とが設けてあるとともに、各後端面にはマグネット６１３が設けてある。また、仕切基部６１の前端部には、下方に突出するガイド片６１４が設けてある。
【００３８】
このような仕切基部６１は、各係止片６１１，６１２が所定の商品載置棚１２を構成するブラケット１２ａに形成された取付部１２１に載置されるとともに、各マグネット６１３が棚柱１３の前面に磁力により取り付けられている。つまり、仕切部材６０は、仕切基部６１が取り付けられることで、所定の商品載置棚１２（最上位から３番目の商品載置棚１２）の下部に配設してある。
【００３９】
第１後端側仕切部６２は、仕切基部６１の後端部の中央領域部分より後方に向けて突出する部位である。この第１後端側仕切部６２は、左右方向が長手方向となる長尺状部位であり、その左右方向の長さは、棚柱１３間の離間距離よりも僅かに短いものである。また第１後端側仕切部６２における仕切基部６１からの後方への突出長さであるが、第１後端側仕切部６２の後端部が第１後面扉３１に近接するのに十分な大きさを有している。つまり、第１後端側仕切部６２は、第１後面扉３１に近接するものの、該第１後面扉３１の開閉移動は許容するものである。
【００４０】
第２後端側仕切部６３は、第１後端側仕切部６２よりも後方に向けて突出する態様で形成したもので、固定端部６３１と、可動端部６３２と、シート（シート状部材）６３３とを備えて構成してある。
【００４１】
固定端部６３１は、第１後端側仕切部６２の左端側の下縁部より後方に向けて突出する態様で設けてある。この固定端部６３１における第１後端側仕切部６２からの後方への突出長さは、固定端部６３１の先端（後端）が第２後面扉３２の前面に近接するのに十分な大きさを有している。また固定端部６３１は、左方側の棚柱１３に近接している。
【００４２】
可動端部６３２は、上記固定端部６３１と左右一対となるものであり、かつ該固定端部６３１とともに第２後端側仕切部６３の左右両端部を構成している。この可動端部６３２も固定端部６３１と同様に、第１後端側仕切部６２の下縁部より後方に向けて突出する態様で設けてあり、その突出長さは、先端（後端）が第２後面扉３２の前面に近接するのに十分な大きさを有している。
【００４３】
上記可動端部６３２は、固定端部６３１に対して近接離反する態様で、左右方向に沿って移動可能なものである。より詳細に説明すると、図６に示すように、可動端部６３２の基端部６４には複数のローラ６５が設けてあり、これらローラ６５は、第１後端側仕切部６２の下部において左右方向に沿って延設されたレール６６に転動可能なものである。また上記基端部６４には、一端が第１後端側仕切部６２の下部に支持されたゼンマイバネ等の付勢手段６７が設けてある。
【００４４】
従って、可動端部６３２は、ローラ６５がそれぞれレール６６を転動することにより左右方向に沿って移動可能なものであるとともに、付勢手段６７により常時右方に向けて付勢されている。これにより、可動端部６３２は、第１後面扉３１の左端部に当接している。
【００４５】
シート６３３は、例えば布やフィルム等のようなものであり、両端部が固定端部６３１と可動端部６３２とに支持されている。このシート６３３は、ケース本体１０の補充口１０ｂが第２開閉体３０（第１後面扉３１及び第２後面扉３２）により閉成される場合に、第１後端側仕切部６２と第２後面扉３２との間に形成される間隙を略閉塞することが可能な大きさを有している。従って、シート６３３における第１後端側仕切部６２からの後方への突出長さは、該シート６３３の先端（後端）が第２後面扉３２の前面に近接するのに十分な大きさを有している。またシート６３３の左右方向の長さは、可動端部６３２が最も右方に移動した状態、すなわち補充口１０ｂを閉成する場合の第１後面扉３１の左端部に当接した状態において、該可動端部６３２と固定端部６３１とにより張設されることが可能な大きさを有している。
【００４６】
このような構成を有する仕切部材６０は、例えば最上位から３番目の商品載置棚１２の下部に配設されることにより、自身より下方側の第１収納域１１ａと、自身より上方側の第２収納域１１ｂとに収納室１１を仕切ることで該収納室１１を上下に区画するものである。
【００４７】
以上のような構成を有するショーケースにおいては、制御手段から与えられる指令により下方循環ファン４３、圧縮機、第１上方循環ファン５３ａ及びヒータ５４が駆動することにより、次のようにして商品載置棚１２に載置された商品を２つの異なる温度帯に調整して保持することができる。
【００４８】
すなわち、第１収納域１１ａの内部の空気は、下方吸込口４１を通じて下方ダクト４０に吸い込まれ、この下方ダクト４０を通過中に蒸発器４４により冷却される。蒸発器４４に冷却された空気は、下方吹出口４２より吹き出される。
【００４９】
このようにして第１収納域１１ａの内部の空気は、取出口１０ａの近傍を下方に向けて通過し、かつ補充口１０ｂの近傍を上方に向けて通過する態様で、第１収納域１１ａの内部と外部とを循環する。そして、その循環途中で蒸発器４４により冷却されることで、第１収納域１１ａにおける商品載置棚１２に載置された商品を冷却する。
【００５０】
一方、第２収納域１１ｂの内部の空気は、前側開口５１を通じて上方ダクト５０に吸い込まれ、この上方ダクト５０を通過中にヒータ５４により加熱される。ヒータ５４に加熱された空気は、後側開口５２より吹き出される。
【００５１】
このようにして第２収納域１１ｂの内部の空気は、取出口１０ａの近傍を上方に向けて通過し、かつ補充口１０ｂの近傍を下方に向けて通過する態様で、第２収納域１１ｂの内部と外部とを循環する。そして、その循環途中でヒータ５４により加熱されることで、第２収納域１１ｂにおける商品載置棚１２に載置された商品を加熱する。
【００５２】
この結果、収納室１１における商品載置棚１２に載置された商品は２つの異なる温度帯に調整されて保持される。
【００５３】
このように本発明の実施の形態であるショーケースにおいては、下方ダクト４０及び下方循環ファン４３が、第１収納域１１ａの空気を該第１収納域１１ａの内部と外部との間で循環させる第１空気循環手段を構成しており、上方ダクト５０及び上方循環ファン５３が、第２収納域１１ｂの空気を該第２収納域１１ｂの内部と外部との間で循環させる第２空気循環手段を構成している。また、蒸発器４４が第１空気循環手段に循環させられる空気を冷却する冷却手段を構成し、かつヒータ５４が第２空気循環手段に循環させられる空気を加熱する加熱手段を構成することで、第１空気循環手段及び第２空気循環手段の少なくとも一方に循環させられる空気を所定の温度に調整する温度調整手段を構成している。
【００５４】
また上記ショーケースにおいては、仕切部材６０の第１後端側仕切部６２の後端部が第１後面扉３１に近接しており、第２後端側仕切部６３を構成するシート６３３が第１後端側仕切部６２と第２後面扉３２との間に形成される間隙を略閉塞することが可能な大きさを有するとともに可動端部６３２が補充口１０ｂを閉成する第１前面扉２１の左端部に当接することで（図７参照）、収納室１１における後方側の第１収納域１１ａと第２収納域１１ｂとの境界部分を良好に区画することができる。しかも、上記可動端部６３２は、固定端部６３１に近接離反する態様で左右方向に沿って移動可能なものであるので、図８に示すように第１後面扉３１が左方に向けて開移動させられる場合に、付勢手段６７の付勢力に抗して該第１後面扉３１の開移動に応じて左方に向けて移動し、シート６３３を撓ますことができる。これにより仕切部材６０は、第１後面扉３１の開閉移動に応じて変形することで該第１後面扉３１の開閉移動を許容するものである。
【００５５】
以上説明したような本実施の形態であるショーケースによれば、仕切部材６０が任意の商品載置棚１２の下部に配設されるので、収納室１１の容積は一定のものとしつつ第１収納域１１ａと第２収納域１１ｂとの相対的な容積比を変更することができ、冷却商品及び加熱商品の数を要求に応じて自由に増減させることができる。特に、第１収納域１１ａの内部の空気を補充口１０ｂの近傍では上方に向けて通過させるとともに取出口１０ａの近傍では下方に向けて通過させ、かつ第２収納域１１ｂの内部の空気を補充口１０ｂの近傍では下方に向けて通過させるとともに取出口１０ａの近傍では上方に向けて通過させていたので、第１収納域１１ａと第２収納域１１ｂとの境界部分において一方から他方へ流れる空気の量を低減させることができ、これにより第１収納域１１ａに収納される商品と第２収納域１１ｂに収納される商品とをそれぞれ良好に温度調整することができる。従って、互いに異なる温度帯で保持する商品の量を自由に調整することで弾力的な運用を図ることができる。
【００５６】
また上記ショーケースによれば、仕切部材６０が第１収納域１１ａと第２収納域１１ｂとの境界部分を良好に区画することができるので、これによっても第１収納域１１ａと第２収納域１１ｂとの境界部分において一方から他方へ流れる空気の量を低減させることができ、これにより第１収納域１１ａに収納される商品と第２収納域１１ｂに収納される商品とをそれぞれ良好に温度調整することができる。従って、仕切部材６０の構成によっても互いに異なる温度帯で保持する商品の量を自由に調整することで弾力的な運用を図ることができる。
【００５７】
ところで、上記ショーケースにおいては、図９に示すように、仕切部材６０を離脱させて制御手段から与えられる指令により下方循環ファン４３及び第２上方循環ファン５３ｂを駆動させることにより、収納室１１の内部の空気は次のように循環する。
【００５８】
すなわち、収納室１１の内部の空気は、下方吸込口４１を通じて下方ダクト４０に吸い込まれ、この下方ダクト４０を通過した後に下方吹出口４２より吹き出される。下方吹出口４２より吹き出された空気は、後側開口５２を通じて上方ダクト５０に吸い込まれ、この上方ダクト５０を通過した後に前側開口５１から吹き出される。この結果、収納室１１の内部の空気は、取出口１０ａの近傍を下方に向けて通過し、かつ補充口１０ｂの近傍を上方に向けて通過する態様で、収納室１１の内部と外部とを循環する。
【００５９】
そして、制御手段から与えられる指令により圧縮機が駆動する場合には、収納室１１の内部と外部とを循環する収納室１１の内部空気は、下方ダクト４０を通過する途中で蒸発器４４に冷却されることで、各商品載置棚１２に載置された商品を冷却することができる。その一方、制御手段から与えられる指令によりヒータ５４が駆動して通電状態となる場合には、収納室１１の内部と外部とを循環する収納室１１の内部空気は、上方ダクト５０を通過する途中でヒータ５４に加熱されることで、各商品載置棚１２に載置された商品を加熱することができる。
【００６０】
以上、本発明の好適な実施の形態について説明したが、本発明はこれに限定されるものではなく、種々の変更を行うことができる。
【００６１】
上述した実施の形態では、収納室１１を第１収納域１１ａと第２収納域１１ｂとに区画する場合には、一方の収納域の内部の空気を蒸発器４４で冷却し、他方の収納域の内部の空気をヒータ５４で加熱するようにしていたが、本発明においては、一方の収納域の内部の空気のみを冷却若しくは加熱するようにして収納室の商品を異なる２つの温度帯で保持するようにしてもよい。
【００６２】
上述した実施の形態では、仕切部材６０を構成する第１後端側仕切部６２及び第２後端側仕切部６３は、後方に向けて突出する態様で設けてあったが、本発明においては、図１０に示すように、仕切部材６０′における第１後端側仕切部６２′及び第２後端側仕切部６３′は、後方に向かうに連れて漸次下方に傾斜した姿勢で設けてあってもよい。これによれば、下方吹出口４２より吹き出されて上方に向かう空気を前方に向かうように良好に案内することができる。また、この場合においてガイド片６１４′も前方に向かうに連れて漸次下方に傾斜する姿勢で設けてあることが好ましい。
【００６３】
上述した実施の形態では、上方循環ファン５３は、第１上方循環ファン５３ａと第２上方循環ファン５３ｂとが互いに隣り合うように左右方向に沿って並設して構成されていたが、本発明においては、上方循環ファンは、正逆回転可能なファンが単数若しくは複数設けられることにより構成されていてもよい。
【符号の説明】
【００６４】
１０  ケース本体
１０ａ  取出口
１０ｂ  補充口
１２  商品載置棚
１２ａ  ブラケット
１２ｂ  棚板
２０  第１開閉体
２１  第１前面扉
２２  第２前面扉
３０  第２開閉体
３１  第１後面扉
３２  第２後面扉
４０  下方ダクト
４１  下方吸込口
４２  下方吹出口
４３  下方循環ファン
４４  蒸発器
５０  上方ダクト
５１  前側開口
５２  後側開口
５３  上方循環ファン
５３ａ  第１上方循環ファン
５３ｂ  第２上方循環ファン
５４  ヒータ
６０  仕切部材
６１  仕切基部
６２  第１後端側仕切部
６３  第２後端側仕切部
６３１  固定端部
６３２  可動端部
６３３  シート（シート状部材）
【図１】
0006578667.tif 000002
【図２】
0006578667.tif 000003
【図３】
0006578667.tif 000004
【図４】
0006578667.tif 000005
【図５】
0006578667.tif 000006
【図６】
0006578667.tif 000007
【図７】
0006578667.tif 000008
【図８】
0006578667.tif 000009
【図９】
0006578667.tif 000010
【図１０】
0006578667.tif 000011